(57)【特許請求の範囲】
【請求項１】
被写体の画像を撮像する撮像手段と、
前記撮像手段により得られた画像データに対して複数の色域に応じた処理を行う信号処理手段と、
前記信号処理手段により処理された画像データを記憶媒体に記録する画像記録手段と、
前記信号処理手段により処理された画像データを表示する画像表示手段と、
前記画像記録手段に記録する画像データの色域を選択する第１選択手段と、
前記画像表示手段に表示する画像データの色域を選択する第２選択手段と、を有し、
前記画像記録手段によって記録中の画像データの色域にかかわらず、前記第２選択手段により前記画像表示手段に表示する画像データの色域を選択可能としたことを特徴とする撮像装置。
【請求項２】
前記信号処理手段は、前記撮像手段から出力される画像データに対して第１の色域に基づく処理を行う第１色域信号処理手段と、前記第１色域信号処理手段により処理された画像データを入力して第２の色域に基づく処理を行う第２色域信号処理手段とを有することを特徴とする請求項１に記載の撮像装置。
【請求項３】
前記第２の色域は、前記第１の色域よりも狭いことを特徴とする請求項２に記載の撮像装置。
【請求項４】
前記信号処理手段は、前記第１選択手段により選択された色域に応じて画像データを処理して前記画像記録手段に出力し、
前記第２選択手段により選択された色域に応じて画像データを処理して前記画像表示手段に出力することを特徴とする請求項１乃至３のいずれか１つに記載の撮像装置。
【請求項５】
前記画像表示手段は、前記画像記録手段によって記録される画像データと前記画像表示手段に表示される画像データの色域情報を表示することを特徴とする請求項１乃至４のいずれか１つに記載の撮像装置。
【請求項６】
前記記憶媒体に記録する画像データの色域と前記画像表示手段に表示する画像データの色域とが異なる場合、各々の色域が異なることをユーザに警告する警告手段を更に有することを特徴とする請求項１乃至５のいずれか１つに記載の撮像装置。
【請求項７】
前記画像表示手段は、前記信号処理手段により処理された複数の色域のうち、最も広い色域に対応する色度点を表示することを特徴とする請求項１乃至６のいずれか１つに記載の撮像装置。
【請求項８】
前記第１選択手段は、画像データの色域としてＩＴＵ−Ｒ  ＢＴ．７０９を選択可能であることを特徴とする請求項１乃至７のいずれか１つに記載の撮像装置。
【請求項９】
前記第１選択手段は、画像データの色域としてｓＲＧＢを選択可能であることを特徴とする請求項１乃至８のいずれか１つに記載の撮像装置。
【請求項１０】
前記第１選択手段は、画像データの色域としてＡｄｏｂｅＲＧＢを選択可能であることを特徴とする請求項１乃至９のいずれか１つに記載の撮像装置。
【請求項１１】
前記第１選択手段は、画像データの色域としてｘｖＹＣＣを選択可能であることを特徴とする請求項１乃至１０のいずれか１つに記載の撮像装置。
【請求項１２】
前記第１選択手段は、画像データの色域としてＷｉｄｅＧａｍｕｔＲＧＢを選択可能であることを特徴とする請求項１乃至１１のいずれか１つに記載の撮像装置。
【請求項１３】
前記第１選択手段は、画像データの色域としてＩＴＵ−Ｒ  ＢＴ．６０１を選択可能であることを特徴とする請求項１乃至１２のいずれか１つに記載の撮像装置。
【請求項１４】
前記第２選択手段は、画像データの色域としてＩＴＵ−Ｒ  ＢＴ．７０９を選択可能であることを特徴とする請求項１乃至１３のいずれか１つに記載の撮像装置。
【請求項１５】
前記第２選択手段は、画像データの色域としてｓＲＧＢを選択可能であることを特徴とする請求項１乃至１４のいずれか１つに記載の撮像装置。
【請求項１６】
前記第２選択手段は、画像データの色域としてＡｄｏｂｅＲＧＢを選択可能であることを特徴とする請求項１乃至１５のいずれか１つに記載の撮像装置。
【請求項１７】
前記第２選択手段は、画像データの色域としてｘｖＹＣＣを選択可能であることを特徴とする請求項１乃至１６のいずれか１つに記載の撮像装置。
【請求項１８】
前記第２選択手段は、画像データの色域としてＷｉｄｅＧａｍｕｔＲＧＢを選択可能であることを特徴とする請求項１乃至１７のいずれか１つに記載の撮像装置。
【請求項１９】
前記第２選択手段は、画像データの色域としてＩＴＵ−Ｒ  ＢＴ．６０１を選択可能であることを特徴とする請求項１乃至１８のいずれか１つに記載の撮像装置。
【請求項２０】
被写体の画像を撮像する撮像手段と、前記撮像手段により得られた画像データに対して複数の色域に応じた処理を行う信号処理手段と、前記信号処理手段により処理された画像データを記憶媒体に記録する画像記録手段と、前記信号処理手段により処理された画像データを表示する画像表示手段と、画像データの色域を選択する第１選択手段及び第２選択手段と、を有する撮像装置の制御方法であって、
前記第１選択手段が、前記記憶媒体に記録する画像データの色域を選択する第１選択工程と、
前記第２選択手段が、前記画像表示手段に表示する画像データの色域を選択する第２選択工程と、を有し、
前記画像記録手段によって記録中の画像データの色域にかかわらず、前記第２選択工程により前記画像表示手段に表示する画像データの色域を選択可能としたことを特徴とする撮像装置の制御方法。
【請求項２１】
請求項２０に記載の撮像装置の制御方法の手順が記述されたコンピュータで実行可能なプログラム。
【請求項２２】
コンピュータに、請求項２０に記載の撮像装置の制御方法の各工程を実行させるためのプログラムが記憶されたコンピュータが読み取り可能な記憶媒体。
【発明の詳細な説明】
【技術分野】
【０００１】
本発明は、撮影画像を表示及び記録する撮像装置に関するものである。
【背景技術】
【０００２】
カラー画像に関するＲＧＢの色域には複数の色域が定義されているが、近年の撮像装置においても、より広い色域に対応した製品が実用化されている。例えば静止画像を撮影するデジタルカメラなどの撮像装置ではこれまで主にｓＲＧＢと呼ばれる色域が用いられてきた。また撮影された静止画を表示するディスプレイにおいても、表示できる色域はｓＲＧＢのものが主流であった。しかしながら、最近ではｓＲＧＢよりも広い色域を有するＡｄｏｂｅＲＧＢと呼ばれる色域に対応した画像処理を行うことが可能なデジタルカメラやディスプレイも多く製品化されている。
【０００３】
一方、動画像を撮影するテレビジョンカメラに関してはこれまで放送用のＩＴＵ−Ｒ  ＢＴ．７０９（以下、ＢＴ．７０９）で定義されたｓＲＧＢと同等の色域が用いられてきた。しかしながら最近になって動画像に関しても動画用に拡張されたＢＴ．７０９よりも広い色域が提案され、ＩＥＣ（国際電気標準会議）から非特許文献１として国際標準規格となっている。
【０００４】
この規格で定義された色域はｘｖＹＣＣ（動画用拡張色空間）色域と称され、この規格に対応する撮像装置や表示装置も開発されてきている。
【０００５】
なお、ｘｖＹＣＣ色域を用いた撮像装置、及び表示装置に関する提案として特許文献１がある。
【０００６】
このようにテレビジョン用やコンピュータ用ディスプレイの表示装置に関しても、これまでのｓＲＧＢ色域のみを表示可能なものからＡｄｏｂｅＲＧＢ色域やｘｖＹＣＣ色域も表示可能な表示装置が実用化されてきている。
【０００７】
また、前述のように複数の異なる色域が定義される中、デジタルカメラに代表される撮像装置にはユーザが必要に応じて複数の色域からどれか１つの色域を選択して、画像データに対し選択された色域に適合する処理を行い記録できる製品も実用化されている。そのような撮像装置の従来技術として特許文献２及び３がある。
【０００８】
従来の複数の色域が選択可能な撮像装置の構成を図１４に示す。
【０００９】
図１４において、被写体からの光学像はレンズ１４０１を介してＣＣＤ１４０２に結像され光電変換される。
【００１０】
ＣＣＤ１４０２で光電変換された信号はカメラ信号処理部１４０３にて既知のガンマ処理、色マトリクス処理等が行われカメラ画像データとして出力される。
【００１１】
カメラ信号処理部１４０３から出力されるカメラ画像データは画像記録部１４０４、及び画像確認用の画像表示部（ファインダ）１４０５に入力される。
【００１２】
画像記録部１４０４ではカメラ画像データに対してＪＰＥＧやＭＰＥＧ２等の画像圧縮処理が行われ、磁気テープやメモリカードなどの記録媒体１４０６に記録される。
【００１３】
操作部１４０７は記録開始や停止、記録する色域の指定など撮像装置全体の各種操作を行う。
【００１４】
１４０８は撮像装置全体を統括的に制御するシステムコントローラである。１４０９はシステムコントローラ１４０８の制御プログラムや複数の色域に対応したマトリクス係数などが保存されているメモリである。
【００１５】
ここで、ユーザが記録する画像の色域を変更する動作について簡単に説明する。
【００１６】
ユーザは、操作部１４０７を操作して複数の色域の中から記録したい色域を指定する。次にシステムコントローラ１４０８はメモリ１４０９から選択された色域に対応する色マトリクス係数を読み込み、カメラ信号処理部１４０３に出力する。
【００１７】
カメラ信号処理部１４０３では入力された色マトリクス係数に応じて色マトリクス処理を行い、指定された色域に応じた画像データが生成される。
【００１８】
その結果、画像記録部１４０４や画像表示部１４０５にはユーザから指定された色域にて処理されたカメラ画像データが出力される。
【００１９】
また、画像を再生する場合、記録された画像の色域に応じて画像表示部１４０５に表示する場合の彩度を調整可能な構成のものもある。
【先行技術文献】
【特許文献】
【００２０】
【特許文献１】特開２００６−０３３５７５号公報
【特許文献２】特開２００４−０９６４００号公報
【特許文献３】特開２００５−２９２８１４号公報
【非特許文献】
【００２１】
【非特許文献１】ＩＥＣ６１９６６−２−４
【発明の概要】
【発明が解決しようとする課題】
【００２２】
上記特許文献２及び３では、例えば、ユーザが画像を記録中に画像表示部１４０５に複数の色域で処理された画像を切り換えて表示させたい場合、カメラ信号処理部１４０３で処理する色域を切り換える必要がある。
【００２３】
しかしながら、画像を連続して記録している途中に、ユーザがカメラ信号処理部１４０３で処理する色域を変更する操作をすると、記録媒体１４０６に記録される画像データも連続した画像の途中で色域が切り替わり、シーンの途中で色味が変化してしまう。そのため、画像を記録中に記録画像とは異なる色域により処理された画像を画像表示部１４０５で視認したい場合は一旦記録動作を中止し、画像表示部１４０５で切り換えた色域による画像を視認後、再び画像を記録開始するという煩雑な作業となってしまう。
【００２４】
このように、従来では画像を記録中に記録画像の色味に影響を与えることなく、画像表示部１４０５で記録中の画像とは異なる色域で処理された画像を視認することは困難である。
【００２５】
本発明は、上記課題に鑑みてなされ、記録中の画像に影響を及ぼすことなく、記録画像の色域とは別の色域に適合して処理された画像を任意のタイミングで切り換えて表示できる技術を実現する。
【課題を解決するための手段】
【００２６】
上記課題を解決するために、本発明の撮像装置は、被写体の画像を撮像する撮像手段と、前記撮像手段により得られた画像データに対して複数の色域に応じた処理を行う信号処理手段と、前記信号処理手段により処理された画像データを記憶媒体に記録する画像記録手段と、前記信号処理手段により処理された画像データを表示する画像表示手段と、前記画像記録手段に記録する画像データの色域を選択する第１選択手段と、前記画像表示手段に表示する画像データの色域を選択する第２選択手段と、を有し、前記画像記録手段によって記録中の画像データの色域にかかわらず、前記第２選択手段により前記画像表示手段に表示する画像データの色域を選択可能とした。
【発明の効果】
【００２７】
本発明によれば、画像記録中であっても記録画像の色域を変更することなく、記録画像とは異なる色域の画像を表示することが可能となる。よって、記録画像の色味に影響を与えることなく複数の色域で処理した場合の画像を切り換えて表示することができる。
【図面の簡単な説明】
【００２８】
【図１】本発明に係る実施形態のビデオカメラの構成を示すブロック図である。
【図２】第１色域信号処理部の構成を示すブロック図である。
【図３】ＢＴ．７０９及び撮像素子の色域を示す図である。
【図４】ｘｖＹＣＣのガンマ特性を示す図である。
【図５】輝度信号をデジタル値へ変換する関係を示す図である。
【図６】色差信号をデジタル値へ変換する関係を示す図である。
【図７】ＢＴ．７０９とｘｖＹＣＣの信号のとり得る範囲を示す図である。
【図８】第２色域信号処理部の構成を示すブロック図である。
【図９】ＢＴ．７０９への色域圧縮を示す図である。
【図１０】メモリ内のゲイン補正テーブル格納例を示す図である。
【図１１】色域選択時のメニュー画面を示す図である。
【図１２】色域情報の表示例を示す図である。
【図１３】第２色域信号処理部の他の構成を示すブロック図である。
【図１４】従来の撮像装置の構成を示すブロック図である。
【発明を実施するための形態】
【００２９】
以下、本発明に係る一実施形態について図面を参照して詳細に説明する。
【００３０】
尚、以下に説明する実施形態は、本発明の実現手段としての一例であり、本発明が適用される装置の構成や各種条件によって適宜修正又は変更されるべきものであり、本発明は以下の実施形態に限定されるものではない。
【００３１】
図１は、本発明を適用できるビデオカメラの構成を示すブロック図である。
【００３２】
なお、以下では、複数の色域に対応した処理を行うカメラ信号処理部について、説明の簡単化のため、処理する色域の種類を前述したｘｖＹＣＣとＢＴ．７０９との２種類として説明する。
【００３３】
図１において、１０１はレンズ、１０２はＣＣＤなどの撮像素子、１０３は２種類の色域に対応した処理を行うカメラ信号処理部である。
【００３４】
１０４は画像表示部１０６に対して２種類の色域に対応して処理された画像信号のいずれかを選択する第１選択部である。
【００３５】
１０５は画像記録部１０７に対して２種類の色域に対応して処理された画像信号のいずれかを選択する第２選択部である。
【００３６】
１０６は画像を表示する画像表示部、１０７は画像データの記録に係る画像圧縮などの処理を行う画像記録部、１０８は画像データが記録される磁気テープや不揮発性メモリなどで構成される記憶媒体である。
【００３７】
１０９はビデオカメラ全体を統括的に制御するシステムコントローラである。
【００３８】
１１０はユーザによる操作を受け付ける操作部、１１１はシステムコントローラ１０９のプログラムや後述するゲイン補正テーブルなどを記憶するメモリである。
【００３９】
次に、図１に示す各ブロックの動作について説明する。
【００４０】
先ず、被写体からの光学像は１０１のレンズによりズームやフォーカス、絞りの調整が行われ、撮像素子１０２上に結像される。撮像素子１０２では被写体の光学像に応じたＲ，Ｇ，Ｂ信号が生成される。
【００４１】
なお、本実施形態における撮像素子１０２はＢＴ．７０９で定義されたＲ，Ｇ，Ｂの原色点よりも広い色域に対応する特性を持っているものとする。
【００４２】
ここでＢＴ．７０９の原色点と本実施形態の撮像素子の原色点について図３を参照して説明する。
【００４３】
図３は一般的なｘｙ色度図である。図中、３０１で示す三角形の内側の領域はＢＴ．７０９で定義されたＲ，Ｇ，Ｂの原色点により構成される色域範囲である。
【００４４】
３０２で示す三角形の内側の領域は、撮像素子１０２が持つＲ，Ｇ，Ｂの原色点により構成される色域範囲である。また、３０３の内側の範囲は人間が認識することができる可視光の全範囲である。
【００４５】
本実施形態では、３０２に示すようにＢＴ．７０９よりも広い色域に対応可能な撮像素子から出力されるＲ，Ｇ，Ｂ信号がカメラ信号処理部１０３に入力される。
【００４６】
カメラ信号処理部１０３は、第１色域信号処理部１０３−１および第２色域信号処理部１０３−２により構成され、第１色域信号処理部１０３−１から出力される信号が第２色域信号処理部１０３−２に入力される。
【００４７】
前述した撮像素子１０２から出力される信号は先ずカメラ信号処理部１０３内の第１色域信号処理部１０３−１に入力される。
【００４８】
ここで第１色域信号処理部１０３−１の構成および動作について説明する。
【００４９】
図２は第１色域信号処理部の構成を示すブロック図である。
【００５０】
なお、本実施形態における第１色域信号処理部の処理方法はＢＴ．７０９で定義されたＲ，Ｇ，Ｂの原色点よりも広い色域を持つ信号に関する処理方法であり、その詳細は前述した非特許文献１や特許文献１に記載されているので、ここでは処理の概要のみ説明する。
【００５１】
図２において、２０１はリニアマトリクス処理部であり、撮像素子１０２から出力されるＲ，Ｇ，Ｂ信号に対して３×３のリニアマトリクス処理を行い、ＢＴ．７０９に基づくＲ_ｅｘ，Ｇ_ｅｘ，Ｂ_ｅｘ信号に変換する。
【００５２】
このリニアマトリクス処理では、入力される撮像素子１０２のＲ，Ｇ，Ｂの原色点がＢＴ．７０９で定義された原色点の近傍にある場合、出力されるＲ_ｅｘ，Ｇ_ｅｘ，Ｂ_ｅｘ信号は０から１の間で変化する。
【００５３】
しかしながら、撮像素子の原色点が前述した図３の３０２で示すようにＢＴ．７０９で定義された原色点よりも広い場合、出力されるＲ_ｅｘ，Ｇ_ｅｘ，Ｂ_ｅｘ信号は負、および１より大きな値となる場合がある。
【００５４】
このようにリニアマトリクス処理されたＲ_ｅｘ，Ｇ_ｅｘ，Ｂ_ｅｘ信号は次に２０２のガンマ処理部２０２に入力される。ガンマ処理部２０２で行われるガンマ処理の入出力特性を図４に示す。
【００５５】
前述したようにガンマ処理部２０２に入力されるＲ_ｅｘ，Ｇ_ｅｘ，Ｂ_ｅｘ信号は０以上、１以下のほかにも負、および１より大きな値となる場合がある。
【００５６】
そのため、入力が０以上、１以下の場合にはＢＴ．７０９で定義されたガンマ特性をとり、入力が負および１より大きな場合にはそれを拡張した特性となっている。
【００５７】
図４に示す特性でガンマ処理されたＲ_ｅｘ_ｇ,Ｇ_ｅｘ_ｇ，Ｂ_ｅｘ_ｇ信号はＹＣマトリクス処理部２０３に入力される。
【００５８】
ＹＣマトリクス処理部２０３では、下記式で示すようなＢＴ．７０９で定義された３×３のマトリクス式によりＲ_ｅｘ_ｇ,Ｇ_ｅｘ_ｇ，Ｂ_ｅｘ_ｇを輝度信号Ｙ_ｅｘ,および色差信号Ｃｒ_ｅｘ，Ｃｂ_ｅｘに変換する処理を行う。
【００５９】
【数１】
0005340456.tif 000002
【００６０】
次に、上記式により得られた輝度信号Ｙ_ｅｘに対して図５に示すように８ビットのデジタル値（０乃至２５５）との割り当てを行う。例えば上記式により得られたＹ＿ｅｘの信号レベルが０の時は１６のデジタル値に割り当てられ、信号レベルが１．０の時は２３５のデジタル値に割り当てられる。
【００６１】
また色差信号Ｃｒ_ｅｘ，Ｃｂ_ｅｘの信号に関しては図６に示すように８ビットの値（０乃至２５５）との割り当てを行う。例えば上記式により得られたＣｒ＿ｅｘやＣｂ＿ｅｘの信号レベルが−０．５の時は１６のデジタル値に割り当てられ、信号レベルが＋０．５の時は２４０のデジタル値に割り当てる。
【００６２】
これらのデジタル値に割り当てられた輝度信号Ｙ_ｅｘおよび色差信号Ｃｒ_ｅｘ，Ｃｂ_ｅｘ信号のとり得る値の範囲を図７に示す。
【００６３】
図中７０１の矩形で囲まれた領域が輝度信号Ｙ_ｅｘおよび色差信号Ｃｒ_ｅｘ，Ｃｂ_ｅｘのとり得る値の範囲となる。
【００６４】
そして図中７０２の斜線で示した領域は、Ｒ_ｅｘ，Ｇ_ｅｘ，Ｂ_ｅｘが０以上、１以下である場合にとり得る範囲であり、前述したＢＴ．７０９の色域に対応する。
【００６５】
即ち、図７において７０２の領域より外の領域はＲ_ｅｘ，Ｇ_ｅｘ，Ｂ_ｅｘのいずれかが負、または１より大きい場合にとり得る領域である。
【００６６】
第１色域信号処理部１０３−１により処理された輝度信号Ｙ_ｅｘおよび色差信号Ｃｒ_ｅｘ，Ｃｂ_ｅｘはカメラ信号処理部１０３の端子１０３ａから出力され、第１選択部１０４の端子１０４ａおよび第２選択部１０５の端子１０５ａにそれぞれ入力される。
【００６７】
一方、第１色域信号処理部１０３−１により処理された信号は同じくカメラ信号処理部１０３内にある第２色域信号処理部１０３−２に入力される。
【００６８】
なお、本実施形態では第１色域信号処理部１０３−１で処理された輝度信号Ｙ_ｅｘおよび色差信号Ｃｒ_ｅｘ，Ｃｂ_ｅｘが第２色域信号処理部１０３−２に入力される例について説明する。
【００６９】
第２色域信号処理部１０３−２は第１色域信号処理部１０３−１で処理された信号を第２の色域に対応させる処理を行うものであり、そのブロック構成を図８に示す。
【００７０】
図８において、８０１は後述する３次元ＬＵＴのデータに従い、輝度、および色差信号のゲインを補正するＹＣゲイン補正部である。
【００７１】
８０２は３次元の参照テーブル、所謂ルックアップテーブル（以下、ＬＵＴ）であり、入力された輝度信号Ｙ_ｅｘおよび色差信号Ｃｒ_ｅｘ，Ｃｂ_ｅｘの３つの信号により構成される３次元信号に対応するゲイン補正データを有している。
【００７２】
このような構成による第２色域信号処理部のゲイン補正動作の一例について図９を参照して説明する。
【００７３】
図９は図７中の破線領域７０３で示した部分を拡大した図である。なお、本来は輝度と色差による３次元の補正であるが、ここでは説明を簡略化するために図９に示す２次元の図を用いて説明する。
【００７４】
例えば、輝度信号Ｙ_ｅｘおよび色差信号Ｃｒ_ｅｘ，Ｃｂ_ｅｘが図９のＰ９０１、Ｐ９０２、Ｐ９０３のような値とする。この場合、ＬＵＴのゲイン補正データを参照して各々をＰ９０１’、Ｐ９０２’、Ｐ９０３’に変換して領域７０２の内側に入れ込む補正処理を行う。
【００７５】
即ち、このようなゲイン補正処理を行うことにより図７において７０２の領域より外に存在した信号は全て領域７０２の内側に圧縮されるようになり、全ての信号がＢＴ．７０９の色域内に圧縮される。
【００７６】
なお、このようにゲイン補正により特定の色域に圧縮する方法は必ずしも図９で示したような補正パターンでなくても良い。例えば、色域圧縮の手法はとしては圧縮前後の色差を最小にして色域圧縮する手法、輝度を保持して色域圧縮する手法、色相を保持して色域圧縮する手法など様々な方法が知られている。
【００７７】
また、図１０（ａ）の１００１〜１００３に示すようにメモリ１１１内に複数の色域圧縮法に対応するゲイン補正ＬＵＴを記録させておき、どの種類の色域圧縮法を使うかをユーザが選択できる構成にしてもよい。その場合、ユーザが選択した種類のゲイン補正ＬＵＴをメモリ１１１から図８の８０２で示す３次元ＬＵＴ内に読み込ませるようにしておけばよい。
【００７８】
第２色域信号処理部１０３−２によりＢＴ．７０９の色域内に変換された輝度信号Ｙ_７０９および色差信号Ｃｒ_７０９，Ｃｂ_７０９はカメラ信号処理部１０３の端子１０３ｂから出力される。そして、第１選択部１０４の端子１０４ｂおよび第２選択部１０５の端子１０５ｂにそれぞれ入力される。
【００７９】
次に、上記２つの色域により処理された信号が入力される第１選択部１０４及び第２選択部１０５の動作について説明する。
【００８０】
図１１（ａ），（ｂ）は画像表示部と画像記録部の色域を選択するメニュー画面を例示している。
【００８１】
図中、１１０１は画像表示部１０６に表示する画像の色域を選択する部分であり、１１０２は記録する画像の色域を選択する部分である。また、これらは各々独自に選択状態を変更できるようになっている。
【００８２】
図１１（ａ）の例では画像表示部１０６にはｘｖＹＣＣの色域で表示することが選択され、記録画像はＢＴ．７０９の色域で記録することが選択されている状態を示している。
【００８３】
また、図１１（ｂ）の例では画像表示部１０６にはＢＴ．７０９の色域で表示することが選択され、記録画像はｘｖＹＣＣの色域で記録することが選択されている状態を示している。
【００８４】
ここで図１１（ａ）のように設定された場合、システムコントローラ１０９は第１選択部１０４に対し端子１０４ａの信号を選択するように制御信号を出力し、第２選択部１０４に対し端子１０５ａｂ信号を選択するように制御信号を出力する。
【００８５】
その結果、画像表示部１０６にはｘｖＹＣＣの色域により処理された表示画像が表示され、画像記録部１０７にはＢＴ．７０９の色域により処理された記録画像が出力される。
【００８６】
また、操作部１１０が図１１（ｂ）のように設定されていた場合、システムコントローラ１０９は第１選択部１０４に対し端子１０４ｂの信号を選択するように制御信号を出力し、第２選択部１０４に対し端子１０５ａ信号を選択するように制御信号を出力する。
【００８７】
その結果、画像表示部１０６にはＢＴ．７０９の色域により処理された表示画像が表示され、画像記録部１０７にはｘｖＹＣＣの色域により処理された記録画像が出力される。
【００８８】
このようにカメラ信号処理部１０３において複数の色域に適合して処理された複数の画像信号に対して、画像表示部１０６と画像記録部１０７のそれぞれが画像を選択する第１又は第２選択部１０４，１０５を有し、各選択部が独自に画像信号を選択可能である。
【００８９】
即ち、ビデオカメラが動画像を記録中の場合であっても、第２選択部１０５の選択状態は保持したまま、第１選択部１０４のみを切り換えて画像表示部１０６にｘｖＹＣＣの色域やＢＴ．７０９の色域によって処理された画像を任意に切り換えて表示できる。
【００９０】
そのため、画像記録中であっても、記録画像に影響を与えることなく画像表示部１０６に複数の色域で処理された画像を切り換えて表示し視認することが可能となる。
【００９１】
図１２は本実施形態の画像表示部による表示例を示しており、１２０１で示すように画像記録部１０７（ＲＥＣ）と画像表示部１０６（ＥＶＦ）とが選択している画像の色域情報を表示してユーザが視認できるような構成にしても良い。
【００９２】
また、画像表示部１０６をカメラ信号処理部１０３が処理可能な複数の色域のうち、最も広い色域の原色点（色度点）を表示可能なものとすることにより、色域を切り換えた場合の色味の変化をより認識しやすくすることができる。
【００９３】
また、記録画像と画像表示部１０６に表示している画像の色域が異なる状態で画像記録を開始した場合には、所定の期間、図１２の色域情報１２０１を点滅させるなどしてユーザに警告させても良い。
【００９４】
更には第２色域信号処理部１０３−２の処理する色域をＢＴ．７０９に限らずとも第１の色域より狭い他の複数の色域に圧縮可能な構成としても良い。
【００９５】
即ち、図１０（ｂ）の１０２１〜１０２３に示すようにメモリ１１１内に色域ＢＴ．７０９以外にもｘｖＹＣＣよりも狭い他の複数の色域（例えばＡｄｏｂｅＲＧＢ等）に対応するゲイン補正ＬＵＴを格納しておく。そして、いずれの種類の色域へ圧縮するかをユーザが選択できる構成にしてもよい。
【００９６】
なお、本実施形態では第１色域信号処理部１０３−１で処理された輝度信号Ｙ_ｅｘおよび色差信号Ｃｒ_ｅｘ，Ｃｂ_ｅｘが第２色域信号処理部１０３−２に入力される例について説明したが、第２色域信号処理部１０３−２での処理方法はこれに限られない。例えば、図１３に示すように第１色域信号処理部１０３−１でガンマ処理されたＲＧＢ信号を入力して色域圧縮する構成にしても良い。その場合、図１３の３次元ＬＵＴ１３０２には各ＲＧＢを補正するゲイン補正値を保持する構成にしておけば良い。
【００９７】
また、カメラ信号処理部１０３に２つの色域信号処理部１０３−１，２を設けた例を説明したが、３つ以上の色域信号処理部を設けてもよい。この場合、それぞれの色域信号処理部で処理された画像信号を画像表示部１０６と画像記録部１０７とが独立して任意に選択可能な構成であればよい。
【００９８】
また、処理する色域はｘｖＹＣＣとＢＴ．７０９に限らずともＡｄｏｂｅＲＧＢ、ＷｉｄｅＧａｍｕｔＲＧＢ、ＩＴＵ−Ｒ  ＢＴ．６０１など他の色域でも良いことは言うまでもない。
【００９９】
［他の実施形態］
また、本発明は各信号処理部をハードウェアにより実施した場合でも、コンピューターを用いたソフトウェア処理にて実施した場合でも適用することができ、同様な効果を得ることが可能である。この場合、上記ソフトウェアのプログラムコード自体が前述した実施形態の機能を実現する。そして、そのプログラムコード自体、およびそのプログラムコードをコンピュータに供給するための手段（例えばかかるプログラムコードを格納した記憶媒体）は本発明を構成する。かかるプログラムコードを記憶する記憶媒体としては、例えばフロッピー（登録商標）ディスク、ハードディスク、光ディスク、光磁気ディスク、ＣＤ−ＲＯＭ、磁気テープ、不揮発性のメモリカード、ＲＯＭ等を用いることができる。
【０１００】
また、コンピュータが供給されたプログラムコードを実行することにより、上述の実施形態の機能が実現されるだけではない。即ち、そのプログラムコードがコンピュータにおいて稼働しているＯＳ或いは他のアプリケーションソフト等の共同して上述の実施の形態で示した機能が実現される場合にもかかるプログラムコードは本発明の実施形態に含まれることは言うまでもない。
【０１０１】
更に、供給されたプログラムコードをコンピュータの機能拡張ボードやコンピュータに接続された機能拡張ユニットに備わるメモリに格納させる。その後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれる。
【図１】
0005340456.tif 000003
【図２】
0005340456.tif 000004
【図３】
0005340456.tif 000005
【図４】
0005340456.tif 000006
【図５】
0005340456.tif 000007
【図６】
0005340456.tif 000008
【図７】
0005340456.tif 000009
【図８】
0005340456.tif 000010
【図９】
0005340456.tif 000011
【図１０】
0005340456.tif 000012
【図１１】
0005340456.tif 000013
【図１２】
0005340456.tif 000014
【図１３】
0005340456.tif 000015
【図１４】
0005340456.tif 000016